(57)【要約】【課題】操作手段を取り付ける作業及び取り外す作業を容易にするとともに、取り付けられた操作手段にがたつきが発生するのを防止し、遊技機の内部部品に対して不正アクセスが行われるのを防止する。【解決手段】固定具４２１は、変形により着脱可能な状態でボタンベース２１１の外周に取り付けられ、ボタンベース２１１の爪部３１９と前面パネル４１の前記裏面における開口部４０１の縁の間に介挿することで前面パネル４１にチャンスボタンユニット２００を取り付け固定するので、チャンスボタンユニット２００を取り付ける作業及び取り外す作業を容易にするとともに、取り付けられたチャンスボタンユニット２００にがたつきが発生するのを防止することができる。【選択図】  図７
2010099400.tif 000002
【特許請求の範囲】
【請求項１】
遊技機の前面パネルに形成された開口部に外部操作可能な操作手段が固定具により取り付け固定された遊技機であって、
前記操作手段は、
遊技者が操作可能な操作部を有する操作部材と、
略円筒形に形成され、前記操作部材を内側に保持するとともに、当該操作部材の前記操作部を外側に露出させる開放部を表面側に有し、前記開口部に裏面側が挿入される操作部材保持部材と、
前記操作部材保持部材の表面側の外周に径方向外側へ突出して設けられ、前記開口部に前記操作部材保持部材が挿入された状態で、前記前面パネルの表面における前記開口部の縁を係止する保持部材側フランジ部と、
前記開口部に前記操作部材保持部材が挿入された状態で、前記前面パネルの裏面から所定距離を置いて裏側に位置するように、前記操作部材保持部材の外周に径方向外側へ突出して設けられた係止部と、
を備え、
前記固定具は、変形により着脱可能な状態で前記操作部材保持部材の外周に取り付けられ、前記前面パネルの裏面における前記開口部の縁と前記係止部との間に介挿することで前記前面パネルに前記操作手段を取り付け固定する
ことを特徴とする遊技機。
【請求項２】
前記固定具は、弾性変形可能な素材でＣリング状に形成され、当該Ｃ形状の内側が前記操作部材保持部材の外周に接触した状態で前記操作部材保持部材に取り付けられるＣ形止め輪である
ことを特徴とする請求項１に記載の遊技機。
【請求項３】
前記Ｃ形止め輪の外周には、前記前面パネルの裏面における前記開口部の縁を覆う固定具側フランジ部が形成されている
ことを特徴とする請求項２に記載の遊技機。
【請求項４】
前記固定具は、
前記操作部材保持部材の外周の略半分に接触可能な形状に形成された第１のリング半体と、
前記操作部材保持部材の外周の略残半分に接触可能な形状に形成された第２のリング半体と、
前記第１及び第２のリング半体の一端側を折曲可能な状態で連結する蝶番と、
前記第１及び第２のリング半体の他端側を着脱可能な状態で嵌合させる嵌合部と、
を備えることを特徴とする請求項１に記載の遊技機。
【請求項５】
前記第１及び第２のリング半体の外周には、前記前面パネルの裏面における前記開口部の縁を覆う固定具側フランジ部が形成されている
ことを特徴とする請求項４に記載の遊技機。
【請求項６】
前記固定具には、前記係止部が挿入される切欠きが形成され、前記切欠きの奥側に前記係止部が係止した状態で当該係止部と前記前面パネルの裏面における前記開口部の縁の間に介挿する
ことを特徴とする請求項１乃至５のいずれかに記載の遊技機。
【発明の詳細な説明】
【技術分野】
【０００１】
本発明は、前面パネルに形成された開口部に外部操作可能な操作手段が固定具により取り付け固定された遊技機に関する。
【背景技術】
【０００２】
従来、一般的に、スロットマシンやパチンコ機等の遊技機のフロントパネルには、動画像や効果音等により遊技者へ遊技の興味を引き起こす、臨場感を盛り上げる等の目的で画像表示装置が設けられている（例えば特許文献１参照）。
【０００３】
例えばパチンコ機には、画像表示装置に遊技図柄とは異なる演出図柄を遊技図柄と関連して変動表示し、遊技者が一般的にチャンスボタンと呼ばれる演出用操作手段をボタン操作することで演出図柄を停止させると共に、その停止図柄に関連して例えば遊技図柄を所定の態様で停止させるなど、遊技者のボタン操作により演出を行うようにしたものも知られている。
【０００４】
このような演出用操作手段には、当該操作手段を移動させる移動駆動手段や操作表示手段を用いて前記操作手段の操作が有効であることを遊技者に報知する技術が考えられている（例えば特許文献２参照）。
【０００５】
このような演出用操作手段や遊技機に所定の動作を開始させるためのスタートスイッチユニット等の操作手段は、前面パネルに形成された開口部に取り付け固定される構造になっているが、この場合の固定には、取付構造として、操作手段に、遊技機のドアフレーム（前扉）の裏側からナットを螺合する構造が一般的に採用できる。
【０００６】
すなわち、操作手段のフレームは、略円筒形に形成されている。この略円筒状のフレームは、外周面にネジ溝が形成された雄ネジ状のものであり、操作レバーや操作ボタン等の操作部を突出させている側の端縁には、径方向外側へ突出する鍔部（フランジ部）が設けられている。一方、遊技機のドアフレーム（前面パネル）には、操作手段のフレームを挿通させる挿通孔（開口部）が設けられている。この挿通孔の内径は、フレームの雄ネジ状部分の外径よりは大きく、フレームの鍔部の外径よりも小さく設定されている。ドアフレームの表側から挿通孔に挿通された操作手段のフレームには、ドアフレームの裏側からナットが螺合され、これにより、スタートスイッチユニットが遊技機に取り付けられるようになっている（例えば、特許文献３参照。）。
【０００７】
【特許文献１】特開２００３−２２０１７８号公報
【特許文献２】特開２００３−３２０１１４号公報
【特許文献３】特開平１０−３２８３５２号公報
【発明の開示】
【発明が解決しようとする課題】
【０００８】
ところで、上述した従来の操作手段の取付構造では、レンチ等の工具でナットをきつく締めるにあたり、操作手段のフレームの長手方向に沿って工具を動かし、ナットに工具を嵌め込み、この状態で工具を回転操作する、という一連の作業を、ドアフレーム裏側の狭い空間内で行うので、取り付け作業が面倒であるという問題がある。また、取り付け作業の手順を逆に行うことで、スタートスイッチユニットを取り外すので、取り付け作業と同様に、取り外し作業も面倒であるという問題がある。さらに、乱暴な取り扱いにより操作手段のフレームに衝撃が加わって、ナットが緩み操作手段にがたつきが発生し、操作手段を取り付けた開口部に隙間が発生し、隙間から器具が挿入されて遊技機の内部部品に対して不正アクセスが行われるという問題もあった。
【０００９】
本発明は、こうした従来の問題に鑑みてなされたものであり、操作手段を取り付ける作業及び取り外す作業を容易にするとともに、取り付けられた操作手段にがたつきが発生するのを防止し、遊技機の内部部品に対して不正アクセスが行われるのを防止することができる遊技機を提供することを目的としている。
【課題を解決するための手段】
【００１０】
上述した課題を解決するため、請求項１に記載の発明は、遊技機の前面パネルに形成された開口部に外部操作可能な操作手段が固定具により取り付け固定された遊技機であって、前記操作手段は、遊技者が操作可能な操作部を有する操作部材と、略円筒形に形成され、前記操作部材を内側に保持するとともに、当該操作部材の前記操作部を外側に露出させる開放部を表面側に有し、前記開口部に裏面側が挿入される操作部材保持部材と、前記操作部材保持部材の表面側の外周に径方向外側へ突出して設けられ、前記開口部に前記操作部材保持部材が挿入された状態で、前記前面パネルの表面における前記開口部の縁を係止するフランジ部と、前記開口部に前記操作部材保持部材が挿入された状態で、前記前面パネルの裏面から所定距離を置いて裏側に位置するように、前記操作部材保持部材の外周に径方向外側へ突出して設けられた係止部と、を備え、前記固定具は、変形により着脱可能な状態で前記操作部材保持部材の外周に取り付けられ、前記前面パネルの裏面における前記開口部の縁と前記係止部との間に介挿することで前記前面パネルに前記操作手段を取り付け固定することを特徴とする。
【００１１】
請求項２に記載の発明は、請求項１に記載の遊技機であって、前記固定具は、弾性変形可能な素材でＣリング状に形成され、当該Ｃ形状の内側が前記操作部材保持部材の外周に接触した状態で前記操作部材保持部材に取り付けられるＣ形止め輪であることを特徴とする。
【００１２】
請求項３に記載の発明は、請求項２に記載の遊技機であって、前記Ｃ形止め輪の外周には、前記前面パネルの裏面における前記開口部の縁を覆う固定具側フランジ部が形成されていることを特徴とする。
【００１３】
請求項４に記載の発明は、請求項１に記載の遊技機であって、前記固定具は、前記操作部材保持部材の外周の略半分に接触可能な形状に形成された第１のリング半体と、前記操作部材保持部材の外周の略残半分に接触可能な形状に形成された第２のリング半体と、前記第１及び第２のリング半体の一端側を折曲可能な状態で連結する蝶番と、前記第１及び第２のリング半体の他端側を着脱可能な状態で嵌合させる嵌合部とを備えることを特徴とする。
【００１４】
請求項５に記載の発明は、請求項４に記載の遊技機であって、前記第１及び第２のリング半体の外周には、前記前面パネルの裏面における前記開口部の縁を覆う固定具側フランジ部が形成されていることを特徴とする。
【００１５】
請求項６に記載の発明は、請求項１乃至５のいずれかに記載の遊技機であって、前記固定具には、前記係止部が挿入される切欠きが形成され、前記切欠きの奥側に前記係止部が係止した状態で当該係止部と前記前面パネルの前記裏面における前記開口部の縁の間に介挿することを特徴とする。
【発明の効果】
【００１６】
本発明の遊技機によれば、固定具は、変形により着脱可能な状態で操作部材保持部材の外周に取り付けられ、前面パネルの裏面における開口部の縁と前記操作部材保持部材の係止部との間に介挿することで前記前面パネルに操作手段を取り付け固定するので、操作手段を取り付ける作業及び取り外す作業を容易にするとともに、取り付けられた操作手段にがたつきが発生するのを防止し、遊技機の内部部品に対して不正アクセスが行われるのを防止することができる。
【発明を実施するための最良の形態】
【００１７】
（１）第１の実施形態
以下、本発明に係る遊技機の好適な第１の実施形態を、スロットマシンを例に図面を参照して説明する。
【００１８】
図１は本発明の第１の実施形態によるスロットマシン１の外観構造を表した斜視図である。
図１において、スロットマシン１は、前方に開口を有する略矩形状の箱体である筐体２と、当該筐体２に対して蝶番機構により回動可能に取付けられることで前記開口を開閉可能な状態で閉塞させる前扉３とを備えている。
【００１９】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６１が一体的に形成されたメダル受皿部６が設けられている。
【００２０】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル」が構成される。
【００２１】
上部パネル部４の中央には、硬質プラスチック板等で形成されたパネル部４１が設けられている。パネル部４１のほぼ中央には略長方形の透明な表示窓４２が形成されている。パネル部４１の表示窓４２より右側下寄りには、チャンスボタンユニット２００が設けられている。
【００２２】
スロットマシン１は、このような表示窓４２を通して筐体２内に設けられているリールユニット１００の３個のリール１０１ａ、１０１ｂ、１０１ｃが目視されるようになっている。
【００２３】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００２４】
上部パネル部４の上部には、高輝度発光ダイオード等のランプ類を内蔵する演出用照明部４３と、ゲームに係る効果音を発生させるスピーカを内蔵する演出用放音部４４ａ、４４ｂが配置されている。
【００２５】
スロットマシン１は、ゲームの進行に応じて上述した演出用照明部４３等が点灯又は点滅することで、ゲームにおける視覚的な演出効果を高めるように形成されている。
【００２６】
また、演出用放音部４４ａ、４４ｂの間には、透明な硬質プラスチック板等が嵌め込まれて形成された表示窓４５に面して遊技機の演出装置として液晶表示装置４６が配置されている。なお、液晶表示装置４６は、ゲームの演出に係る映像やゲーム（遊技）に関する情報を主に表示する。
【００２７】
操作卓７の上面右側には本実施形態の要部となるメダル投入部７１が設けられている。メダル投入部７１は、メダルを投入するためのメダル投入口７２を有する。
操作卓７の上面左側には、押しボタンスイッチである２個のベットボタン７３、７４が設けられている。
【００２８】
ベットボタン７３、７４はスロットマシン１の１ゲームに賭けるメダルの枚数を提示するためのボタンスイッチである。本スロットマシン１においては、ゲームを開始する際に、ベットボタン７３が押圧操作されることで、内部貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２９】
操作卓７の前面パネル７０の左側には、リール１０１ａ、１０１ｂ、１０１ｃの回転開始を指示するためのスタートレバーユニット７５が設けられている。スタートレバーユニット７５は、先端に球形の操作ノブを有する揺動可能なスタートレバー９１を備え、スタートレバー９１が傾倒操作されるとオン、スタートレバー９１から手が離されるとスプリングの付勢力によって自動的に元の位置に戻ってオフ状態となるスイッチユニットで形成されている。
【００３０】
また、操作卓７の前面パネル７０の左側のスタートレバーユニット７５より右側には、各リール１０１ａ、１０１ｂ、１０１ｃの回転停止をそれぞれ指示するためのストップボタン７６ａ、７６ｂ、７６ｃが各リールの配列に対応して並設されている。
【００３１】
さらに、操作卓７の前面パネル７０の左上隅には、ゲームに賭けられたメダルをキャンセルして払い出させることを指示するとともに、内部貯留したメダルを精算して払い出させることを指示するための精算ボタン７７が設けられている。
操作卓７の前面パネル７０の右上側には、後述のメダル選別装置３４（図２参照）で詰まったメダルを返却させるための詰まり解除ボタン７８が設けられている。
【００３２】
操作卓７の右隅には、前扉３を開錠するための鍵が挿入される鍵穴７９が設けられている。スロットマシン１の管理者等が鍵穴７９に所定の鍵を挿入して開錠操作すると、蝶番機構によって筐体２に取付けられている前扉３を前方へ開くことができ、また前扉３を筐体２側に閉じると、自動的にこれらを施錠するようになっている。
【００３３】
下部パネル部５には、スロットマシン１のモデルタイプを遊技者へ認識させる等のため、登場キャラクタの絵などを表示する表示パネル５１が設けられている。
【００３４】
下部パネル部５の下側に配置されたメダル受皿部６には、入賞時にメダルを払い出すメダル払出口６２と、払い出されたメダルを貯留するメダル受皿６１と、演出効果音を発生させるスピーカを内蔵する左右の演出用放音部６３ａ、６３ｂとが配置されている。
【００３５】
次に、図２を参照して、筐体２の内部構造と前扉３の裏面構造とを説明する。
【００３６】
図２は前扉３を開放した状態におけるスロットマシン１の内部構造を表した図である。
図２において、筐体２の前方には開口８を有している。この開口８内の上部には、左右のブラケット部材８１、８２を介して硬質プラスチックの基板ケース８０に収納された主制御基板２０が取付けられている。主制御基板２０は、スロットマシン１の全体動作を集中制御するＣＰＵを備えている。
【００３７】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取付けられている。なお、各リール１０１ａ、１０１ｂ、１０１ｃは、それぞれに内蔵されたリールモータによって回転駆動される。
【００３８】
また、リールユニット１００の上部には、各リールを回転駆動する前記リールモータへ１−２相の駆動パルス信号を送出するリール基板１１０が取付けられている。主制御基板２０は、リール基板１１０に回胴駆動（励磁）パルスデータを送出することで、各リールの回転、制動及び停止の制御を行っている。
【００３９】
リールユニット１００の下方には、ホッパ装置２１と、ホッパ装置２１から溢れたメダルを収容するための補助貯留部２２と、電源ユニット２３が設けられている。電源ユニット２３の内部の右側には、いわゆる配電盤に相当する電源装置基板２４が設けられている。
【００４０】
電源ユニット２３は、ハーネスを介してホッパ装置２１及び主制御基板２０等の電気部品と電気的に接続する。また、電源ユニット２３は、前記筐体２の壁面の貫通孔９に挿通された電源コード１０を介して筐体２の外部から電力が供給され、供給された電力から所定の電圧値の電力を生成してホッパ装置２１及び主制御基板２０等の電気部品に供給する。ホッパ装置２１の前面には、メダルを排出するメダル排出口２５が設けられている。ホッパ装置２１の上部にはメダルを貯留するメダル収納部２６が設けられている。
【００４１】
更に、筐体２の上部右側の内壁に、遊技場に設置されている「ホールコンピュータ」と呼ばれる管理用コンピュータと接続可能な外部集中端子板２７が取付けられている。
【００４２】
一方、前扉３の裏面側上部には、発光駆動部３１が配置されている。発光駆動部３１は、上述の演出用照明部４３（図１参照）の光源である高輝度の発光ダイオードが複数配列され、この発光ダイオードを発光駆動する駆動回路が実装されている。
【００４３】
また、前扉３の裏面側上部には、上述の演出用放音部４４ａ、４４ｂ（図１参照）に対向してスピーカ３２ａ、３２ｂが取付けられている。また、スピーカ３２ａ、３２ｂの間には、液晶表示装置４６が取付けられている。更に、液晶表示装置４６の裏面側には、電気回路基板で形成され硬質プラスチックの基板ケース９０に収納されたサブ制御基板４０が取付けられている。
【００４４】
主制御基板２０及びサブ制御基板４０は、スロットマシン１の作動を制御する制御基板である。
【００４５】
サブ制御基板４０の下方には、リール１０１ａ、１０１ｂ、１０１ｃを目視させるための透明な表示窓４２が形成されたパネル板４７が配置され、表示窓４２の下方には、前面側のスタートレバーユニット７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４６】
また、パネル板４７の表示窓４２の側方には、本発明の要部となる固定具４２１によりチャンスボタンユニット２００が固定され、チャンスボタンユニット２００の後ろ側が突出して設けられている。チャンスボタンユニット２００の出力信号も中央表示基板３３を中継して主制御基板２０に転送される。
【００４７】
メダル選別装置３４は、メダル投入口７２に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４８】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル払出口６２へ案内するキャンセルシュート部材３６が設けられている。また、前扉３の裏面側下部には、ホッパ装置２１のメダル排出口２５から排出されたメダルをメダル払出口６２へ案内するガイド部材３７が設けられている。更に、メダル払出口６２に隣接して、上述した演出用放音部６３ａ、６３ｂ（図１参照）に対向するスピーカ３８ａ、３８ｂが取付けられている。
【００４９】
なお、スロットマシン１全体の動作は、筐体２側に設けられている主制御基板２０によって統括制御されており、サブ制御基板４０は、液晶表示装置４６による演出映像の表示制御、上述の演出用照明部４３の発光駆動部３１を用いた演出発光制御、及び演出用放音部４４ａ、４４ｂ、６３ａ、６３ｂのスピーカ３２ａ、３２ｂ、３８ａ、３８ｂを使った演出効果音制御など、ゲームの演出に係る制御を主に行っている。
【００５０】
次に、図３のブロック図を参照して、スロットマシン１に設けられている制御システムについて説明する。
図３はスロットマシン１の制御システムを表したブロック図である。
図３において、主制御基板２０は、メインＣＰＵ１２０と、記憶部１２１と、乱数発生器１２２と、Ｉ／Ｆ回路１２３と、チャンスボタン駆動回路１２４と、ソレノイド駆動回路１２５とを主要構成として備えている。
【００５１】
記憶部１２１は、ＲＯＭ、ＲＡＭ等の半導体メモリによって構成され、主要構成としてプログラムＲＯＭ１３１と制御ＲＡＭ１３２を有している。記憶部１２１のプログラムＲＯＭ１３１には、スロットマシンゲーム用のシステムプログラム１３３が予め記憶されている。主制御基板２０は、記憶部１２１のプログラムＲＯＭ１３１に記憶されたシステムプログラム１３３に従ってメインＣＰＵ１２０が演算処理を実行することで、スロットマシン１全体の動作を統括制御している。
【００５２】
また、記憶部１２１の制御ＲＡＭ１３２にはメダルクレジット手段１３６が設けられている。メダルクレジット手段１３６はスロットマシン１が内部貯留するメダルの数であるクレジットをメモリに記憶する。
【００５３】
また、主制御基板２０のメインＣＰＵ１２０には、中央表示基板３３及びＩ／Ｆ回路１２３を介してベットボタン７４、スタートレバーユニット７５のフォトセンサ、ストップボタン７６ａ、７６ｂ、７６ｃ、精算ボタン７７、チャンスボタンユニット２００のフォトセンサ等の操作スイッチ類が介して接続されるとともに、メダル選別装置３４の中央表示基板３３及びＩ／Ｆ回路１２３を介してメダル選別装置３４のメダルセンサ１４１が接続されている。また、主制御基板２０のメインＣＰＵ１２０には、Ｉ／Ｆ回路１２３を介してチャンスボタン駆動回路１２４及びソレノイド駆動回路１２５が接続されている。チャンスボタン駆動回路１２４は、中央表示基板３３を介してチャンスボタンユニット２００が接続されている。ソレノイド駆動回路１２５は、中央表示基板３３を介してメダル選別装置３４のフラッパータイプソレノイド１４２が接続されている。
【００５４】
また、主制御基板２０には、電源装置基板２５が接続されている。電源装置基板２５は、主制御基板２０のメインＣＰＵ１２０からＩ／Ｆ回路１２３を介して送信されるコマンドデータに基づいてメダル払出装置であるホッパ装置２１を駆動する。スタートレバーユニット７５は、前記スタートレバー９１の傾倒操作を検出するフォトセンサを備えている。フォトセンサの検出出力である傾動検出信号は、中央表示基板３３及び主制御基板２０に設けられたＩ／Ｆ回路１２３を介してメインＣＰＵ１２０に受信される。
【００５５】
フラッパータイプソレノイド１４２は、メダル選別装置３４に流下するコインを強制排除する場合に用いられるメダルブロッカを駆動するためのものである。メインＣＰＵ１２０は、主制御基板２０に設けられたソレノイド駆動回路１２５を制御することでフラッパータイプソレノイド１４２のオン、オフを行う。
【００５６】
主制御基板２０のメインＣＰＵ１２０は、前記操作スイッチ類やメダル選別装置３４のメダルセンサ１４１からの出力信号によりゲームに係る操作を検出する。
【００５７】
また、主制御基板２０のメインＣＰＵ１２０は、動作モードがメダルベット待機状態となっている場合において、メダルセンサ１４１がメダルを検出した場合、検出したメダルをゲームの賭数に加算する。
【００５８】
また、主制御基板２０のメインＣＰＵ１２０は、動作モードがメダルクレジット入力待機状態となっている場合において、メダルセンサ１４１がメダルを検出した場合、検出したメダルをメダルクレジット手段１３６のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段１３６の前記クレジット数が最大値（５０）になるまでの状態のことを示している。
【００５９】
一方、左中右のリール１０１ａ、１０１ｂ、１０１ｃには、リールセンサ１０３ａ、１０３ｂ、１０３ｃが設けられている。
【００６０】
主制御基板２０のメインＣＰＵ１２０は、リール基板１１０及びＩ／Ｆ回路１２３を介してリールセンサ１０３ａ、１０３ｂ、１０３ｃの検出信号を受信し、各リールの基準となる回転位置を把握しながら、Ｉ／Ｆ回路１２３を介してリール基板１１０に所定の回胴駆動パルスデータを送信する。リール基板１１０は、主制御基板２０からの回胴駆動パルスデータに従って左中右のリールモータ１０２ａ、１０２ｂ、１０２ｃを回転駆動することで、各リール１０１ａ、１０１ｂ、１０１ｃの回転及び停止の動作制御を行っている。
【００６１】
また、主制御基板２０のメインＣＰＵ１２０は、入賞が確定した場合等において、Ｉ／Ｆ回路１２３及び電源装置基板２５を介してホッパ装置２１を制御することで、所定数のメダルをメダル受皿６０に払い出す。
【００６２】
さらに、主制御基板２０のメインＣＰＵ１２０は、精算ボタン７７が操作された場合、ゲームに賭けられたメダルをキャンセルしてホッパ装置２１に払い出させるとともに、メダルクレジット手段１３６（図３参照）が内部貯留したメダルを精算してホッパ装置２１に精算前のクレジット数のメダルを払い出させる。
【００６３】
一方、主制御基板２０の記憶部１２１のプログラムＲＯＭ１３１には、入賞抽選テーブル１３４が記憶されている。また、記憶部１２１の制御ＲＡＭ１３２には、内部当選した入賞役に対応するフラグを記憶する内部抽選フラグ記憶領域１３７、前記入賞役を抽選する抽選確率の設定を記憶する設定記憶領域１３８が設定されている。
【００６４】
サブ制御基板４０は、主制御基板２０からの制御信号に基づいて演出用放音部６２ａ、６２ｂ（図１参照）のスピーカ３８ａ、３８ｂ等の演出装置５０を制御駆動することで、遊技者の視覚や聴覚に訴える演出をゲームの進行に応じて行っている。
【００６５】
尚、第１の実施形態では、チャンスボタン演出を主制御基板で行い、液晶表示装置４６による演出映像、上述の演出用照明部４３の発光駆動部３１を用いた演出発光、及び演出用放音部４４ａ、４４ｂ、６３ａ、６３ｂのスピーカ３２ａ、３２ｂ、３８ａ、３８ｂを使った演出効果音の選択はサブ制御基板４０の抽選によって行っている。
【００６６】
メインＣＰＵ１２０は、Ｉ／Ｆ回路１２３を介したスタートレバーユニット７５からの操作検出信号がスタートレバー９１の傾倒操作の検出を示すことを契機に乱数発生器１２２から乱数値を取得し、設定記憶領域１３８に記憶された設定に対応する入賞抽選テーブル１３４を参照することで、得られた乱数値に割り当てられた入賞役またはハズレを抽選する。そして、メインＣＰＵ１２０は、乱数値に対応する入賞役が存在すると、それを当該ゲームの入賞役として抽選結果を当選にし、記憶部１２１の内部抽選フラグ記憶領域１３７における当選した入賞役のフラグをオンにする。メインＣＰＵ１２０は、乱数値に対応する入賞役が存在しない場合、抽選結果をハズレにし、記憶部１２１の内部抽選フラグ記憶領域１３７におけるハズレのフラグをオンにする。
【００６７】
ここでは、かかる入賞役の抽選方法を「内部抽選」と呼んでいる。
次に、スロットマシン１におけるゲーム動作の概要を説明する。
スロットマシン１は、先のゲームにおいて入賞しメダルの配当が完了した時、又は先のゲームにおいてハズレが確定すると待機状態となる。次に、遊技者がメダル投入ガイド７１のメダル投入口７２にメダルを投入し、もしくは、ベットボタン７３を三回押圧操作するかベットボタン７４を一回押圧操作することで、スロットマシン１は、内部に貯留したメダル（クレジット）から当該ゲームに所定枚数（例えば、３枚）のメダルが賭けられゲームを準備する。
【００６８】
ゲーム準備の状態でスタートレバーユニット７５のスタートレバー９１が傾倒操作されゲームが開始されると、主制御基板２０は、スタートレバー９１が傾倒操作を起因として３個のリール１０１ａ、１０１ｂ、１０１ｃを一斉に回転させ始めるとともに、上述した内部抽選を実行する。内部抽選の結果は、内部抽選フラグ記憶領域に記憶される。また、メインＣＰＵ１２０は、内部抽選に抽選結果に応じて演出乱数テーブル１３５の種類の選択を行う。
【００６９】
メインＣＰＵ１２０は、スタートレバーユニット７５の傾倒操作の検出が終了したタイミングで乱数値を取得し、前期種類が選択された演出乱数テーブル１３５を参照することで、フリーズ演出の可否、レバー折曲演出の可否及び折曲角を選択する。
【００７０】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域に記憶された内部抽選の入賞役に係る図柄の組合せとが一致しているかどうか判定する。
【００７１】
これら図柄の組合せが一致し役への入賞が確定すると、スロットマシン１は、主制御基板２０により制御ＲＡＭ１３２の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６１へ払い出す。
【００７２】
また、スロットマシン１は、必要に応じてチャンスボタン駆動回路１２４を制御してチャンスボタンユニット２００に発光等を行わせる。
【００７３】
以下、チャンスボタンユニット２００の構成を、図４乃至図１１を参照して詳細に説明する。
図４は、チャンスボタンユニット２００の組み立てた状態の斜め前側から見た斜視図である。
図４において、チャンスボタンユニット２００は、ボタンカバー２０１、ボタンベース２１１、フォトセンサ２１４及び後部カバー２１５を組み立てて構成されている。
【００７４】
ボタンカバー２０１は、前方に向けて凸面を形成するレンズ面状の押圧部２２１と、押圧部２２１の後縁から後方に延出する円筒面部２２２とを一体に備えており、押圧部２２１をボタンベース２１１から外向きに突出させた状態で配置される。
【００７５】
ボタンベース２１１は、前端に開放部３１８を形成する円筒部３０１を備え、円筒部３０１の前端の周りフランジ部３０２を有している。
【００７６】
円筒部３０１の上下の中間部には、後述の固定具４０２の切欠き４２３、４２４に係止する爪部３１９、３２０（図１１参照）が円筒部３０１の外周から径方向外側へ突出する方向に形成されている。
【００７７】
円筒部３０１の後端近傍には、斜め四方４箇所に切欠き３１２が形成されている。円筒部３０１の後面には、フォトセンサ２１４がネジ止め固定されている。
【００７８】
後部カバー２１５は、平面部３５１の前面に円筒部３５２（図４参照）を形成したものである。
【００７９】
円筒部３５２の上側には切欠き３５５が前方から形成されている。切欠き３５５には、フォトセンサ２１４のコネクタ３４１に接続するハーネスが挿通される。円筒部３５２の前端には、斜め四方４箇所に突出片３５９が形成されている。突出片３５９は、ボタンベース２１１の切欠き３１２に挿入して嵌合する。
【００８０】
チャンスボタンユニット２００の組み立てた状態では、ボタンベース２１１の円筒部３０１と後部カバー２１５の円筒部３５２は円筒部３５２の突出片３５９が円筒部３０１の切欠き３１２に挿入して嵌合し、一つの円筒形状を形成する。
【００８１】
ボタンベース２１１の開放部３１８からは、ボタンカバー２０１の押圧部２２１及び円筒面部２２２の前側が突出している。
【００８２】
図５は、チャンスボタンユニット２００の組み立てた状態の斜め前側から見た斜視図である。
図５において、ボタンベース２１１の後側には、ネジ３７１、３７２、３７３、３７４により後部カバー２１５の平面部３５１がネジ止め固定される。ボタンベース２１１のフランジ部３０２の裏面には、パネル部４１の後述の複数の切欠き４１３…４１３、４１４…４１４（図１２参照）と嵌合する段部３８１…３８１、３８２…３８２が形成されている。
【００８３】
切欠き３５５には、フォトセンサ２１４のコネクタ３４１を露出しており、ハーネスが挿通可能になっている。
【００８４】
図６は、チャンスボタンユニット２００の組み立てた状態の正面図である。
図６において、ボタンカバー２０１の押圧部２２１の後ろ側では、装飾部２０２が配置している。装飾部２０２は、Ｖ字の透明部２３２及びＬＵＣＫＹ！の文字の透明部２３５が形成され、透明部２３２、２３５の周りが不透明部２３６になっている。不透明部２３６には、爆発をイメージする模様２３７も印刷されている。
装飾部２０２の後方には、図示しない発光ダイオードが設けられており、チャンスボタン駆動回路１２４（図３参照）の制御により発光ダイオードが発光してＶ字の透明部２３２及びＬＵＣＫＹ！の文字の透明部２３５が発光して見えるようになっている。
【００８５】
図７乃至図１１は固定具４２１を用いたチャンスボタンユニット２００のパネル部４１への取り付け構造を示し、図７は斜め前方から見た分解斜視図、図８は斜め後方から見た分解斜視図、図９は斜め前方から見た斜視図、図１０は斜め後方から見た斜視図、図１１は右側方から見た断面図である。
【００８６】
図７及び図８において、パネル部４１には、チャンスボタンユニット２００の裏面側が挿入される開口部４０１が形成されている。この開口部４０１は、ボタンベース２１１の円筒部３０１が挿入される円形の貫通部４１０の上下左右に切欠き４１１、４１２、４１３…４１３、４１４…４１４を形成したものである。
【００８７】
上下の切欠き４１１、４１２は、チャンスボタンユニット２００のボタンベース２１１が開口部４０１に挿入される際に、ボタンベース２１１の爪部３１９、３２０（図１１参照）が通過する。左右の複数の切欠き４１３…４１３、４１４…４１４には、フランジ部３０２の複数の段部３８１…３８１、３８２…３８２が嵌合する。
【００８８】
前記固定具４２１は、弾性変形可能な素材で円環の一部が開放したＣリング状に形成されたＣ形止め輪であって、Ｃ形状の内側が前記ボタンベース２１１の外接状態を維持するように当該ボタンベース２１１に取り付けられる。
【００８９】
前記固定具４２１は、円環の一部が開放した円筒面で構成されたＣリング状円筒体部４３１を金型により一体形成したものである。
【００９０】
Ｃリング状円筒体部４３１は、Ｃ形状の一端側と他端側の間に、径を広げるための隙間４３２が形成され、拡径自在になっている。Ｃリング状円筒体部４３１の裏面側には、ボタンベース２１１の爪部３１９、３２０（図１１参照）が挿入して係止する切欠き４３３、４３４が形成されている。
【００９１】
前記固定具４２１は、変形により着脱可能な状態でボタンベース２１１の外周に取り付けられ、前記パネル部４１の前記裏面における前記開口部４０１の縁と前記爪部３１９、３２０（図１１参照）との間に介挿することで前記パネル部４１にチャンスボタンユニット２００を取り付け固定する。
【００９２】
以下、チャンスボタンユニット２００のパネル部４１への取り付け作業について詳細に説明する。
【００９３】
まず、作業者は、図７に示すパネル部４１の表側からチャンスボタンユニット２００の裏面側を開口部４０１に挿入し、切欠き４１１、４１２に爪部３１９、３２０を通過させ、左右の切欠き４１３、４１４にフランジ部３０２の段部３８１、３８２を嵌合させる。
【００９４】
この後、作業者は、固定具４２１を弾性変形させ当該固定具４２１の径を広げ、固定具４２１をチャンスボタンユニット２００の後側からボタンベース２１１の外周に移動させ、図１０及び図１１に示すように、前記固定具４２１の裏面側の切欠き４３３、４３４に前記爪部３１９、３２０(図１１参照)を係止させた状態で固定具４２１をボタンベース２１１の外周に取り付ける。これにより、固定具４２１は、図１１に示すように、前記パネル部４１の前記裏面における前記開口部４０１の縁と前記爪部３１９、３２０との間に介挿して、前記パネル部４１にチャンスボタンユニット２００を取り付け固定する。
【００９５】
以上に説明した構造を纏めて説明すると、スロットマシン１(図１参照)は、図７に示す前面パネル４１に形成された開口部４０１に外部操作可能なチャンスボタンユニット２００が固定具４２１により取り付け固定された遊技機になっている。
【００９６】
チャンスボタンユニット２００は、外部操作可能な操作手段になっている。
ボタンカバー２０１は、遊技者が操作可能な操作部として押圧部２２１を有する操作部材になっている。
【００９７】
ボタンベース２１１は、略円筒形に形成され、前記ボタンカバー２０１を内側に保持するとともに、当該ボタンカバー２０１の操作部を外側に露出させる開放部３１８を表面側に有し、前記前面パネル４１の前記開口部４０１に裏面側が挿入される操作部材保持部材になっている。
【００９８】
フランジ部３０２は、前記ボタンベース２１１の表面側の外周に径方向外側へ突出して設けられ、前記前面パネル４１の前記開口部４０１にボタンベース２１１が挿入された状態で、前記前面パネル４１の表面における前記開口部４０１の縁を係止する。
【００９９】
爪部３１９、３２０は、前記ボタンベース２１１の外周に径方向外側へ突出して設けられ、前記前面パネル４１の前記開口部４０１にボタンベース２１１が挿入され前記フランジ部３０２が前記開口部４０１の縁を係止した状態で前面パネル４１の裏面からから所定距離を置いて裏側に位置するように、前記ボタンベース２１１の外周に径方向外側へ突出して設けられた係止部となっている。
【０１００】
前記固定具４２１は、変形により着脱可能な状態で前記ボタンベース２１１の外周に取り付けられ、前記係止部と前記前面パネル４１の前記裏面における前記開口部４０１の縁の間に介挿することで前記前面パネル４１にチャンスボタンユニット２００を取り付け固定する。
【０１０１】
以上、説明した第１の実施形態によれば、図７乃至図１１に示した前記固定具４２１が、変形により着脱可能な状態で前記ボタンベース２１１の外周に取り付けられ、前記爪部３１９、３２０と前記前面パネル４１の前記裏面における前記開口部４０１の縁の間に介挿することで前記前面パネル４１にチャンスボタンユニット２００を取り付け固定するので、前面パネル４１にチャンスボタンユニット２００を取り付ける作業及び取り外す作業を容易にするとともに、取り付けられたチャンスボタンユニット２００にがたつきが発生するのを防止し、スロットマシン１の内部部品に対して不正アクセスが行われるのを防止することができる。
【０１０２】
また、第１の実施形態によれば、前記固定具４２１には、前記爪部３１９、３２０が挿入される切欠き４３３、４３４が形成され、前記切欠きの奥側に前記爪部３１９、３２０が係止した状態で当該爪部３１９、３２０と前記前面パネル４１の前記裏面における前記開口部４０１の縁の間に介挿するので、固定具４２１がチャンスボタンユニット２００に対して回転するのを防止でき、取り付けられたチャンスボタンユニット２００にがたつきが発生するのをより確実に防止することができる。
【０１０３】
（２）第２の実施形態
図１２は本発明の第２の実施形態に係る固定具６０１の嵌合部６０５を開いた状態の斜視図である。
図１２に示すように、前記固定具６０１は、前記第１及び第２のリング半体６０２、６０３の一端側を蝶番６０４により折曲可能な状態で連結した構造になっている。第１及び第２のリング半体６０２、６０３の他端側は、嵌合部６０５により着脱可能な状態で嵌合するようになっている。
【０１０４】
第１のリング半体６０２は、弾性を有する樹脂を金型により一体形成したものであり、一端側から順に、蝶番６０４を構成するネジ止め部６１１と、円筒部３０１（図１４参照）の外周に密接する湾曲帯部６１２と、外周側に延出する段部６１３、湾曲帯部６１２の外周側に配置する外周側湾曲帯部６１４と、輪の内周側に向けて突出する係止爪６１５とを有している。
【０１０５】
第２のリング半体６０３は、弾性を有する樹脂を金型により一体形成したものであり、一端側から順に蝶番６０４を構成する筒状部６２１と、円筒部３０１の外周に密接する湾曲帯部６２２とを有している。湾曲帯部６２２の外周面の他端側から所定間隔を置いた位置には、外周に向けて突出するレール状の凸部６２３が形成されている。
【０１０６】
図１３は本発明の第２の実施形態に係る固定具６０１の嵌合部を閉じた状態の斜視図である。
図１３に示すように、凸部６２３には、係止爪６１５が係止するようになっている。湾曲帯部６２２の凸部６２３より他端側は、外周側湾曲帯部６１４より内周側に配置する内周側湾曲帯部６２４になっている。
【０１０７】
図１２に示すように、前記固定具６０１の裏面側における内周側湾曲帯部６２４の端部には、ボタンベース２１１の爪部３１９が挿入して係止する切欠き６２５が形成されている。
【０１０８】
前記固定具６０１の裏面側における第１のリング半体６０２の一端側のコーナーには、切欠き６１６が形成されている。前記固定具６０１の裏面側における第２のリング半体６０３の一端側のコーナーには、切欠き６２６が形成されている。
【０１０９】
図１３に示すように、切欠き６１６、６２６は、前記固定具６０１の裏面側において、ボタンベース２１１の爪部３２０が挿入して係止する切欠き６０６を構成している。
【０１１０】
図１４は固定具６０１を用いたチャンスボタンユニット２００のパネル部４１への取り付け構造を示す斜視図である。図１５は右側方から見た断面図である。図１６は図１５の蝶番及びその周辺部を拡大して示す断面図である。
【０１１１】
図１６に示すように、蝶番６０４は、ネジ止め部６１１と筒状部６２１と半ネジ６３１により構成される。半ネジ６３１は先端側から順にネジ山形成軸部分６３２、ネジ山非形成軸部分６３３及びネジ頭６３４が形成される。ネジ止め部６１１には、ネジ穴６１７が形成されている。筒状部６２１のネジ挿通孔６２７には、ネジ山非形成軸部分６３３が挿入される。ネジ穴６１７には、筒状部６２１のネジ挿通孔６２７から突出した半ネジ６３１のネジ山形成軸部分６３２が螺入され締め付けられる。半ネジ６３１のネジ頭６３４は、筒状部６２１の裏面側を係止する。ネジ止め部６１１は、筒状部６２１の表側を係止する。これにより、ネジ止め部６１１は、筒状部６２１に対して脱落が防止された状態で回動可能になる。
【０１１２】
以下、チャンスボタンユニット２００のパネル部４１への取り付け作業について詳細に説明する。
【０１１３】
まず、作業者は、チャンスボタンユニット２００の裏面側をパネル部４１（図８参照）の開口部４０１（図８参照）に挿入し、切欠き４１１、４１２（図８参照）に爪部３１９、３２０（図１５参照）を通過させ、左右の切欠き４１３、４１４（図７参照）にフランジ部３０２の段部３８１、３８２（図８参照）を嵌合させる。
【０１１４】
次に、作業者は、図１２示す嵌合部６０５を開いた状態の固定具６０１を用いて、パネル部４１（図８参照）の裏側から固定具６０１の第２のリング半体６０３の切欠き６２６に前記爪部３２０(図１５参照)を係止させ、切欠き６２５に前記爪部３１９(図１５参照)を係止させた状態で第２のリング半体６０３の湾曲帯部６２２を円筒部３０１の外周に密接させる。
【０１１５】
続いて、第２のリング半体６０３に対して第１のリング半体６０２を嵌合部６０５が閉じる方向に回転動させ、第２のリング半体６０３の切欠き６１６に前記爪部３２０(図１１参照)を係止させた状態で係止爪６１５を凸部６２３に係止させ、図１４に示すように第２のリング半体６０３の湾曲帯部６１２を円筒部３０１の外周に密着させた状態で嵌合部６０５を閉じる。
【０１１６】
これにより、固定具６０１は、図１５に示すように、前記爪部３１９、３２０と前記パネル部４１の前記裏面における前記開口部４０１の縁の間に介挿して、前記パネル部４１にチャンスボタンユニット２００を取り付け固定する。
【０１１７】
このような第２の実施形態においても、第１の実施形態と同様の効果が得られるとともに、第１の実施形態に比べて弾性変形させる量が低いので、硬度の高い素材を採用できる。
【０１１８】
（３）第３の実施形態
図１７は本発明の第３の実施形態の固定具６５１を示し、図１７（ａ）は固定具６５１の斜め後方から見た斜視図、図１７（ｂ）は固定具６５１の上面図、図１７（ｃ）は固定具６５１の背面図である。
【０１１９】
図１７（ａ）において、第３の実施形態の場合、固定具６５１には、弾性変形可能な素材で円環の一部が開放したＣリング状に形成されたＣ形止め輪を用いている。
【０１２０】
固定具６５１は、円環の一部が開放した円筒面で構成されたＣリング状円筒体部６６１と、上下のフランジ部６７１、６７２とを一体形成したものである。
【０１２１】
前記Ｃリング状円筒体部６６１は、Ｃ形状の一端側と他端側の間に、径を広げるための隙間６６２が形成され、拡径自在になっている。前記Ｃリング状円筒体部６６１の裏面側には、ボタンベース２１１の爪部３１９、３２０（図１１参照）が挿入して係止する切欠き６６３、６６４が形成されている。前記Ｃリング状円筒体部６６１の表面側の外周には、上下の固定具側フランジ部６７１、６７２が形成されている。
【０１２２】
図１７（ｂ）において、上側の固定具側フランジ部６７１の表面は、前記Ｃリング状円筒体部６６１の表面側と同一平面上に形成されている。図１７（ａ）に示した下の固定具側フランジ部６７２も前記Ｃリング状円筒体部６６１の裏面側と同一平面上に形成されている。
【０１２３】
図１７（ｂ）において、上側の切欠き６６３は、前記Ｃリング状円筒体部６６１の裏面側の上部に横長の矩形で形成されている。図１７（ａ）に示した下側の切欠き６６４も前記Ｃリング状円筒体部６６１の裏面側の下部に横長の矩形で形成されている。
【０１２４】
図１７（ｃ）において、上側の固定具側フランジ部６７１は、前記Ｃリング状円筒体部６６１の外周の上側１２０°の範囲に形成されている。下の固定具側フランジ部６７２は、前記Ｃリング状円筒体部６６１の外周の上側１２０°の範囲に形成されている。隙間６６２は、前記Ｃリング状円筒体部６６１の円周の左側７５°の範囲に形成されている。前記Ｃリング状円筒体部６６１の円周の右側４５°の範囲には、フランジ部が形成されておらず固定具６５１がボタンベース２１１から着脱される際に弾性変形により容易に湾曲されようになっている。
【０１２５】
図１８は固定具６５１を用いたチャンスボタンユニット２００のパネル部４１への取り付け構造を示す斜め後方から見た斜視図である。
図１８において、前記固定具６５１は、変形により着脱可能な状態でボタンベース２１１の外周に取り付けられ、前記切欠き４３３、４３４の奥側に前記爪部３１９、３２０（図１１参照）が係止した状態で当該爪部３１９、３２０（図１１参照）と前記前面パネル４１の前記裏面における前記開口部４０１の縁の間に介挿することで前記パネル部４１にチャンスボタンユニット２００を取り付け固定するので、チャンスボタンユニット２００を取り付ける作業及び取り外す作業を容易にするとともに、取り付けられたチャンスボタンユニット２００にがたつきが発生するのを防止できる。さらに、上下の固定具側フランジ部６７１、６７２は、前面パネル４１の裏面における前記開口部４０１の縁を覆うので、開口部４０１とボタンベース２１１の間の境目からスロットマシン内部への不正器具の挿入をより確実に防止できる。
【０１２６】
（４）第４の実施形態
図１９乃至図２１は本発明の第４の実施形態による固定具７５１を用いたチャンスボタンユニット７００のパネル部４１への取り付け構造を示し、図１９は斜め後方から見た分解斜視図、図２０はチャンスボタンユニット７００をパネル部４１へ取り付けた状態の斜め後方から見た斜視図、図２１はチャンスボタンユニット７００をパネル部４１へ取り付けた状態の断面図である。
【０１２７】
図１９に示すように、チャンスボタンユニット７００のボタンベース７０１の円筒部７０２には、固定具７５１が取り付けられる溝部７０３が円周方向に沿って形成されている。この場合、溝部７０３は、段部３８１…３８１、３８２…３８２の奥側に設けられており、溝部７０３からフランジ部３０２までの幅は、前記パネル部４１の前記開口部４０１の縁の厚みと略一致している。
【０１２８】
チャンスボタンユニット７００の溝部７０３以外の構造は、図１乃至図１１８に示した第１の実施形態のチャンスボタンユニット２００と同様になっている。
【０１２９】
図１９に示すように、固定具７５１は、円環の一部が開放した円筒面で構成されたＣリング状円筒体部７６１と、上下のフランジ部７７１、７７２とを弾性を有する素材で一体形成したものである。
【０１３０】
Ｃリング状円筒体部７６１は、Ｃ形状の一端側と他端側の間に、径を広げるための隙間７６２が形成され、拡径自在になっている。前記Ｃリング状円筒体部７６１は、前後の幅がボタンベース７０１の溝部７０２の幅と同サイズになっている。またＣリング状円筒体部７６１は、径方向の厚みが溝部７０３の深さの２倍程度に設定されている。
【０１３１】
上下のフランジ部７７１、７７２は、前記固定具７５１の表面側に形成され、前記パネル部４１に密着するようになっている。
【０１３２】
前記固定具７５１は、変形により着脱可能な状態でボタンベース７０１の溝部７０３に取り付けられることで前記パネル部４１にチャンスボタンユニット７００を取り付け固定する。
【０１３３】
以下、固定具７５１について詳細に説明する。
上側のフランジ部７７１の表面は、前記Ｃリング状円筒体部７６１の表面側と同一平面上に形成されている。下側のフランジ部７７２も前記Ｃリング状円筒体部７６１の表面側と同一平面上に形成されている。
【０１３４】
上下のフランジ部７７１、７７２及び隙間７６２は、図１７（ｃ）に示すフランジ部６７１、６７２及び隙間６６２と同様の範囲に形成されている。
【０１３５】
以下、チャンスボタンユニット７００のパネル部４１への取り付け作業について詳細に説明する。
【０１３６】
まず、作業者は、図１９に示すパネル部４１の表側からチャンスボタンユニット７００の裏面側を開口部４０１に挿入し、切欠き４１１、４１２に爪部３１９、３２０を通過させ、左右の切欠き４１３、４１４にフランジ部３０２の段部３８１、３８２を嵌合させる。
【０１３７】
この後、作業者は、固定具７５１を弾性変形させ当該固定具７５１の径を広げ、固定具７５１をチャンスボタンユニット７００の後側からボタンベース７０１の外周に移動させ、固定具７５１のＣリング状円筒体部７６１を溝部７０３に挿入し、固定具７５１をボタンベース７０１の溝部７０３に取り付ける。この状態で固定具７５１の前記Ｃリング状円筒体部７６１の表面側及び上下のフランジ部７７１、７７２は、図２０及び図２１に示すように、前記パネル部４１の前記裏面における前記開口部４０１の縁を係止して、前記パネル部４１にチャンスボタンユニット７００を取り付け固定する。
【０１３８】
このような第４の実施形態によれば、図１乃至図１１に示した第１の実施形態と同様に効果が得られるとともに、前記ボタンベース７０１の前記固定具７５１が取り付けられる部分の外周は、前記開口部４０１の内周に対向する部分より小径に形成され、前記固定具７５１は前記開口部４０１とボタンベース７０１の間の境目を覆うことになり、開口部４０１とボタンベース７０１の間の境目からの不正器具の挿入をより確実に防止できる。
【０１３９】
（５）第５の実施形態
図２２及び図２３は本発明の第５の実施形態による固定具８０１を用いたチャンスボタンユニット２００のパネル部４１への取り付け構造を示し、図２２は斜め前方から見た分解斜視図、図２３は斜め後方から見た分解斜視図である。
【０１４０】
第５の実施形態では、パネル部４１に取り付けるチャンスボタンユニット２００として図８に示した第１の実施形態と同様の物を用いている。
【０１４１】
図２２に示すように、前記固定具８０１は、前記第１及び第２のリング半体８０２、８０３の一端側を蝶番８０４により折曲可能な状態で連結した構造になっている。蝶番８０４は、図１６に示した第２の実施形態の蝶番６０４と同様の構造になっている。
【０１４２】
図２２に示すように、第１及び第２のリング半体８０２、８０３の他端側は、嵌合部８０５により着脱可能な状態で嵌合するようになっている。
【０１４３】
第１のリング半体８０２は、弾性を有する樹脂を金型により一体形成したものであり、一端側から順に、蝶番８０４を構成するネジ止め部８１１と、円筒部３０１の外周に密接する湾曲帯部８１２と、外周側に延出する段部８１３、湾曲帯部８１２の外周側に配置する外周側湾曲帯部８１４と、輪の内周側に向けて突出する係止爪８１５とを有している。湾曲帯部８１２及び外周側湾曲帯部８１４の表面側の外周には、それぞれ固定具側フランジ部８１６、８１７が形成されている。
【０１４４】
固定具側フランジ部８１６、８１７の外周方向の幅は、同サイズとなっており、固定具側フランジ部８１６、８１７の間には段部８１８が形成される。
【０１４５】
第２のリング半体８０３は、弾性を有する樹脂を金型により一体形成したものであり、一端側から順に蝶番８０４を構成する筒状部８２１と、円筒部３０１の外周に密接する湾曲帯部８２２とを有している。湾曲帯部８２２の外周面の他端側から所定間隔を置いた位置には、外周に向けて突出するレール状の凸部８２３が形成されている。
【０１４６】
凸部８２３には、係止爪８１５が係止するようになっている。湾曲帯部８２２の凸部８２３より他端側は、外周側湾曲帯部８１４より内周側に配置する内周側湾曲帯部８２４になっている。
【０１４７】
湾曲帯部８２２及び内周側湾曲帯部８２４の表面側の外周には、固定具側フランジ部８２６、８２７が形成されている。
固定具側フランジ部８２６の凸部８２３寄りには、それぞれ固定具側フランジ部８１７及び外周側湾曲帯部８１４と密着する形状の密着部８２８が形成されている。
【０１４８】
固定具側フランジ部８２７は、凸部８２３の突出量と同程度の幅に形成されており、外周側が外周側湾曲帯部８１４の内周と密着するようになっている。
【０１４９】
図２３に示すように、前記固定具８０１の裏面側における内周側湾曲帯部８２４の端部には、図１２の第２の実施形態の切欠き６２５と同様の切欠き８２５が形成されている。切欠き８２５には、ボタンベース２１１の爪部３１９が挿入して係止する。
【０１５０】
図２３に示すように、前記固定具８０１の裏面側における第１のリング半体８０２の一端側のコーナーには、図１２の第２の実施形態の切欠き６１６と同様の切欠き８１９が形成されている。前記固定具８０１の裏面側における第２のリング半体８０３の一端側のコーナーには、図１２の第２の実施形態の切欠き６２６と同様の切欠き８２９が形成されている。
【０１５１】
切欠き８１９、８２９は、ボタンベース２１１の爪部３２０（図２７参照）が挿入して係止する切欠き８０６を構成している。
【０１５２】
図２４及び図２５は固定具８０１を示し、図２４は嵌合部８０５が開いた状態の正面図、図２５は嵌合部８０５が閉じた状態の正面図である。
【０１５３】
図２４に示すように、固定具側フランジ部８２７は、凸部８２３の突出量と同程度の幅に形成されており、図２５に示すように、外周側が外周側湾曲帯部８１４の内周と密着するようになっている。固定具側フランジ部８１６、８２６の蝶番８０４側は、固定具８０１の嵌合部８０５を開いた状態で重なり合うように対向する部分８２０、８３０が凹んで形成されている。
【０１５４】
以下、チャンスボタンユニット２００のパネル部４１への取り付け作業について詳細に説明する。
図２６及び図２７は固定具８０１を用いたチャンスボタンユニット２００のパネル部４１への取り付け構造を示し、図２６は斜視図、図２７は右側方から見た断面図である。
【０１５５】
まず、作業者は、チャンスボタンユニット２００の裏面側をパネル部４１（図２３参照）の開口部４０１（図２３参照）に挿入し、左右の切欠き４１３、４１４（図２２参照）にフランジ部３０２の段部３８１、３８２（図２３参照）を嵌合させる。
【０１５６】
次に、作業者は、図２２示す嵌合部８０５を開いた状態の固定具８０１を用いて、パネル部４１（図２３参照）の裏側から固定具８０１の第２のリング半体８０３の切欠き８２９に前記爪部３２０(図２５参照)を係止させ、切欠き８２５に前記爪部３１９(図２５参照)を係止させた状態で第２のリング半体８０３の湾曲帯部８２２を円筒部３０１の外周に密接させる。
【０１５７】
続いて、第２のリング半体８０３に対して第１のリング半体８０２を嵌合部８０５が閉じる方向に回転動させ、第２のリング半体８０３の切欠き８１９に前記爪部３２０(図２７参照)を係止させた状態で係止爪８１５を凸部８２３に係止させ、図２６に示すように第２のリング半体８０３の湾曲帯部８１２を円筒部３０１の外周に密着させた状態で嵌合部８０５を閉じる。これにより、固定具側フランジ部８１６、８１７、８２６、８２７は、前面パネル４１の裏面における前記開口部４０１の縁を覆う。
【０１５８】
固定具８０１は、図２７に示すように、前記爪部３１９、３２０と前記パネル部４１の前記裏面における前記開口部４０１の縁の間に介挿して、前記パネル部４１にチャンスボタンユニット２００を取り付け固定する。
【０１５９】
このような第５の実施形態においても、第２の実施形態と同様の効果が得られるとともに、固定具側フランジ部８１６、８１７、８２６、８２７が前面パネル４１の裏面における前記開口部４０１の縁を覆うので、開口部４０１とボタンベース２１１の間の境目から内部への不正器具の挿入をより確実に防止できる。
【０１６０】
（６）第６の実施形態
図２８は本発明の第６の実施形態による固定具８５１を用いたチャンスボタンユニット７００のパネル部４１への取り付け構造を示す後方から見た分解斜視図である。
【０１６１】
第６の実施形態では、パネル部４１に取り付けるチャンスボタンユニット７００として図１９に示した第４の実施形態と同様の物を用いている。
図２８に示すように、前記固定具８５１は、前記第１及び第２のリング半体８５２、８５３の一端側を蝶番８５４により折曲可能な状態で連結した構造になっている。蝶番８５４は、図１６に示した第２の実施形態の蝶番６０４と同様の構造になっている。
第１及び第２のリング半体８５２、８５３の他端側は、嵌合部８５５により着脱可能な状態で嵌合するようになっている。
【０１６２】
第１のリング半体８５２は、弾性を有する樹脂を金型により一体形成したものであり、一端側から順に、蝶番８５４を構成するネジ止め部８６１と、ボタンベース７０１の溝部７０３に挿入して密着する湾曲帯部８６２と、外周側に延出する段部８６３、湾曲帯部８６２の外周側に配置する外周側湾曲帯部８６４と、輪の内周側に向けて突出する係止爪８６５とを有している。湾曲帯部８６２及び外周側湾曲帯部８６４の表面側の外周には、固定具側フランジ部８６６、８６７が形成されている。固定具側フランジ部８６６、８６７の間には段部８６８が形成される。固定具側フランジ部８６６、８６７は、図２３に示した第５の実施形態の固定具側フランジ部８１６、８１７とサイズが若干異なるだけで、それ以外は同様の構造になっている。
【０１６３】
第２のリング半体８５３は、弾性を有する樹脂を金型により一体形成したものであり、一端側から順に蝶番８５４を構成する筒状部８７１とボタンベース７０１の溝部７０３に挿入して密着する湾曲帯部８７２とを有している。湾曲帯部８７２の外周面の他端側から所定間隔を置いた位置には、外周に向けて突出するレール状の凸部８７３が形成されている。
【０１６４】
凸部８７３には、係止爪８６５が係止するようになっている。湾曲帯部８７２の凸部８７３より他端側は、外周側湾曲帯部８６４より内周側に配置する内周側湾曲帯部８７４になっている。
【０１６５】
湾曲帯部８７２及び内周側湾曲帯部８７４の表面側の外周には、固定具側フランジ部８７６、８７７が形成されている。
【０１６６】
固定具側フランジ部８７６の凸部８７３寄りには、固定具側フランジ部８６７の外周側湾曲帯部８６４と密着する形状の密着部８７８が形成されている。
【０１６７】
固定具側フランジ部８７７は、凸部８７３の突出量と同程度の幅に形成されており、外周側が外周側湾曲帯部８６４の内周と密着するようになっている。
【０１６８】
以下、チャンスボタンユニット２００のパネル部４１への取り付け作業について詳細に説明する。
【０１６９】
図２９及び図３０は本発明の第６の実施形態による固定具８５１を用いたチャンスボタンユニット２００のパネル部４１への取り付け構造を示し、図２９は斜視図、図３０は右側方から見た断面図である。
【０１７０】
まず、作業者は、チャンスボタンユニット７００の裏面側をパネル部４１（図２３参照）の開口部４０１（図２３参照）に挿入し、左右の切欠き４１３、４１４（図２８参照）にフランジ部３０２の段部３８１、３８２（図２３参照）を嵌合させる。
【０１７１】
次に、作業者は、図２８示す嵌合部８５５を開いた状態の固定具８５１を用いて、パネル部４１（図２３参照）の裏側から固定具８５１の第２のリング半体８５３の湾曲帯部８７２をタンベース７０１の溝部７０３に挿入して密着させる。
【０１７２】
続いて、第２のリング半体８５３に対して第１のリング半体８５２を嵌合部８５５が閉じる方向に回転動させ、図２９に示すように第２のリング半体８５３の湾曲帯部８６２をボタンベース７０１の溝部７０３に挿入して密着させた状態で嵌合部８５５を閉じる。これにより、固定具側フランジ部８６６、８６７、８７６、８７７は、前面パネル４１の裏面における前記開口部４０１の縁を覆う。
【０１７３】
固定具８５１は、図３０に示すように、ボタンベース７０１の溝部７０３の後方段部と前記パネル部４１の前記裏面における前記開口部４０１の縁の間に介挿して、前記パネル部４１にチャンスボタンユニット７００を取り付け固定する。
【０１７４】
このような第６の実施形態においても、第５の実施形態と同様の効果が得られるとともに、前記ボタンベース７０１の前記固定具８５１が取り付けられる部分の外周は、前記開口部４０１の内周に対向する部分より小径に形成され、前記固定具８５１は前記開口部４０１とボタンベース７０１の間の境目を覆うことになり、開口部４０１とボタンベース７０１の間の境目からの不正器具の挿入をより確実に防止できる。
【図面の簡単な説明】
【０１７５】
【図１】図１は、本発明の第１の実施形態によるスロットマシンの外観構造を表した斜視図である。
【図２】図２は、本発明の第１の実施形態によるスロットマシンの内部構造を表した図である。
【図３】図３は、本発明の第１の実施形態によるスロットマシンの制御システムを表したブロック図である。である。
【図４】図４は、本発明の第１の実施形態によるチャンスボタンユニットの組み立てた状態の斜め前側から見た斜視図である。
【図５】図５は、本発明の第１の実施形態によるチャンスボタンユニットの組み立てた状態の斜め前側から見た斜視図である。
【図６】図６は、本発明の第１の実施形態によるチャンスボタンユニットの組み立てた状態の正面図である。
【図７】図７は、本発明の第１の実施形態によるチャンスボタンユニットのパネル部への取り付け構造を示す斜め前方から見た分解斜視図である。
【図８】図８は、本発明の第１の実施形態によるチャンスボタンユニットのパネル部への取り付け構造を示す斜め後方から見た分解斜視図である。
【図９】図９は、本発明の第１の実施形態によるチャンスボタンユニットのパネル部への取り付け構造を示す斜め前方から見た斜視図である。
【図１０】図１０は、本発明の第１の実施形態によるチャンスボタンユニットのパネル部４１への取り付け構造を示す斜め後方から見た斜視図である。
【図１１】図１１は、本発明の第１の実施形態によるチャンスボタンユニットのパネル部４１への取り付け構造を示す右側方から見た断面図である。
【図１２】図１２は、本発明の第２の実施形態による固定具の嵌合部を開いた状態の斜視図である。
【図１３】図１３は、本発明の第２の実施形態による固定具の嵌合部を閉じた状態の斜視図である。
【図１４】図１４は、本発明の第２の実施形態による固定具６０１を用いたチャンスボタンユニットのパネル部４１への取り付け構造を示す斜視図である。
【図１５】図１５は、本発明の第２の実施形態による右側方から見た断面図である。
【図１６】図１６は、本発明の第２の実施形態による蝶番及びその周辺部を拡大して示す断面図である。
【図１７】図１７は、本発明の第３の実施形態による固定具を示す斜視図、上面図及び背面図である。
【図１８】図１８は、本発明の第３の実施形態による固定具を用いたチャンスボタンユニットのパネル部への取り付け構造を示す斜め後方から見た斜視図である。
【図１９】図１９は、本発明の第４の実施形態による固定具を用いたチャンスボタンユニットのパネル部への取り付け構造を示す斜め後方から見た分解斜視図である。
【図２０】図２０は、本発明の第４の実施形態による固定具を用いたチャンスボタンユニットのパネル部への取り付け構造を示す斜め後方から見た斜視図である。
【図２１】図２１は、本発明の第４の実施形態によるチャンスボタンユニットをパネル部へ取り付けた状態の断面図である。
【図２２】図２２は、本発明の第５の実施形態による本発明の第５の実施形態による固定具を用いたチャンスボタンユニットのパネル部への取り付け構造を示す斜め前方から見た分解斜視図である。
【図２３】図２３は、本発明の第５の実施形態による固定具を用いたチャンスボタンユニットのパネル部への取り付け構造を示す斜め後方から見た分解斜視図である。
【図２４】図２４は、本発明の第５の実施形態による固定具の嵌合部が開いた状態の正面図である。
【図２５】図２５は、本発明の第５の実施形態による固定具の嵌合部が閉じた状態の正面図である。
【図２６】図２６は、本発明の第５の実施形態による固定具を用いたチャンスボタンユニットのパネル部への取り付け構造を示す斜視図である。
【図２７】図２７は、本発明の第５の実施形態による右側方から見た断面図である。
【図２８】図２８は、本発明の第６の実施形態による固定具を用いたチャンスボタンユニットのパネル部への取り付け構造を示す後方から見た分解斜視図である。
【図２９】図２９は、本発明の第６の実施形態による固定具を用いたチャンスボタンユニットのパネル部への取り付け構造を示す後方から見た斜視図である。
【図３０】図３０は、本発明の第６の実施形態による固定具を用いたチャンスボタンユニットのパネル部への取り付け構造を示す後方から見た断面図である。
【符号の説明】
【０１７６】
１…スロットマシン、２…本体筐体、３…外装用前扉、
４…上部パネル部、５…下部パネル部、６…メダル受皿部、
７…操作卓、８…開口、９…貫通孔、１０…電源コード、
２０…主制御基板、２１…ホッパ装置、２２…補助貯留部、
２３…電源ユニット、２４…電源装置基板、２５…メダル排出口、
２６…メダル収納部、２７…外部集中端子板、３１…発光駆動部、
３２ａ、３２ｂ…スピーカ、３３…中央表示基板、
３４…メダル選別装置、３５…ガイド部材、
３６…ガイド部材、３７…ガイド部材、３８ａ、３８ｂ…スピーカ、
４０…サブ制御基板、４１…パネル部、
４２…表示窓、４３…演出用照明部、
４４ａ、４４ｂ…演出用放音部、４６…液晶表示装置、
４５…表示窓、４７…パネル板、５０…演出装置、
５１…表示パネル、６１…メダル払出口、６２…メダル受皿、
６３ａ、６３ｂ…演出用放音部、
７０…前面パネル、７１…メダル投入ガイド、
７２…メダル投入口、７３、７４…ベットボタン、
７５…スタートレバーユニット、
７６ａ、７６ｂ、７６ｃ…ストップボタン、
７７…精算ボタン、７８…詰まり解除ボタン、７９…鍵穴、
８０、９０…基板ケース、８１、８２…ブラケット部材、
１００…リールユニット、１０１ａ、１０１ｂ、１０１ｃ…リール、
１０２ａ、１０２ｂ、１０２ｃ…リールモータ、
１０３ａ、１０３ｂ、１０３ｃ…リールセンサ、
１１０…回胴装置基板、１２０…ＣＰＵ、
１２１…記憶部、１２２…乱数発生装置、１２３…Ｉ／Ｆ回路、
１２４…チャンスボタン駆動回路、１２５…ソレノイド駆動回路、
１３１…プログラムＲＯＭ、１３２…制御ＲＡＭ、
１３３…システムプログラム、１３４…入賞抽選テーブル、
１３５…演出乱数テーブル、１３６…メダルクレジット手段、
１３７…内部抽選フラグ記憶領域、１３８…設定記憶領域、
２００…チャンスボタンユニット、２０１…ボタンカバー、
２０２…装飾部、２１１…ボタンベース、２１４…フォトセンサ、
２１５…後部カバー、２２１…押圧部、２２２…円筒面部、
２３２、２３５…透明部、２３６…不透明部、２３７…模様、
３０１…円筒部、３０２…フランジ部、３１２…切欠き、
３５１…平面部、３５２…円筒部、３５５…切欠き、
３７１、３７２、３７３、３７４…ネジ、
４０１…開口部、４１０…貫通部、４２１…固定具、
４１１、４１２、４１３、４１４…切欠き、４３２…隙間、
４３３、４３４…切欠き、５００…チャンスボタンユニット、
５０１…ボタンカバー、５０２…チューブレンズ、
５１１…ボタンベース、６０１…固定具、
６０２、６０３…リング半体、６０４…蝶番、
６０５…嵌合部、６１１…ネジ止め部、６１２…湾曲帯部、
６１３…段部、６１４…外周側湾曲帯部、６１５…係止爪、
６１６…切欠き、６１７…ネジ穴、６２１…筒状部、
６２２…湾曲帯部、６２３…凸部、６２４…内周側湾曲帯部、
６２５…切欠き、６２６…切欠き、６２７…ネジ挿通孔、
６３１…半ネジ、６３２…ネジ山形成軸部分、
６３３…ネジ山非形成軸部分、６３４…ネジ頭
６５１…固定具、６６１…Ｃリング状円筒体部、
６７１、６７２…フランジ部、６６２…隙間、
６６３、６６４…切欠き、６７１、６７２…固定具側フランジ部、
７００…チャンスボタンユニット、７０１…ボタンベース、
７０２…円筒部、７０３…溝部、７５１…固定具、
７６１…Ｃリング状円筒体部、７６２…隙間、
７７１、７７２…フランジ部、８０１…固定具、
８０２、８０３…リング半体、８０４…蝶番、８０５…嵌合部、
８１１…ネジ止め部、８１２…湾曲帯部、８１３…段部、
８１４…外周側湾曲帯部、８１５…係止爪、
８１６、８１７…固定具側フランジ部、８１８…段部、
８１９…切欠き、８２１…筒状部、８２２…湾曲帯部、８２３…凸部、
８２４…内周側湾曲帯部、８２５…切欠き、
８２６、８２７…固定具側フランジ部、８２８…密着部、
８２９…切欠き、８２０、８３０…部分、８５１…固定具、
８５２、８５３…リング半体、８５４…蝶番、８５５…嵌合部、
８６１…ネジ止め部、８６２…湾曲帯部、８６３…段部、
８６４…外周側湾曲帯部、８６５…係止爪、
８６６、８６７…固定具側フランジ部、８６８…段部、
８７１…筒状部、８７２…湾曲帯部、８７３…凸部、
８７４…内周側湾曲帯部、８７８…密着部
【図１】
2010099400.tif 000003
【図２】
2010099400.tif 000004
【図３】
2010099400.tif 000005
【図４】
2010099400.tif 000006
【図５】
2010099400.tif 000007
【図６】
2010099400.tif 000008
【図７】
2010099400.tif 000009
【図８】
2010099400.tif 000010
【図９】
2010099400.tif 000011
【図１０】
2010099400.tif 000012
【図１１】
2010099400.tif 000013
【図１２】
2010099400.tif 000014
【図１３】
2010099400.tif 000015
【図１４】
2010099400.tif 000016
【図１５】
2010099400.tif 000017
【図１６】
2010099400.tif 000018
【図１７】
2010099400.tif 000019
【図１８】
2010099400.tif 000020
【図１９】
2010099400.tif 000021
【図２０】
2010099400.tif 000022
【図２１】
2010099400.tif 000023
【図２２】
2010099400.tif 000024
【図２３】
2010099400.tif 000025
【図２４】
2010099400.tif 000026
【図２５】
2010099400.tif 000027
【図２６】
2010099400.tif 000028
【図２７】
2010099400.tif 000029
【図２８】
2010099400.tif 000030
【図２９】
2010099400.tif 000031
【図３０】
2010099400.tif 000032